(57)【要約】【課題】アクティブマトリックス式有機発光ダイオードディスプレイの画像を均一化する方法及び装置の提供。【解決手段】複数の画素装置で組成されたアクティブマトリックス式有機発光ダイオードディスプレイの画像を均一化する方法及び装置において、各画素装置が有機発光ダイオードを駆動し発光させる駆動ユニットを具え、該有機発光ダイオードのカソードが正電源に連接され、並びに該正電源の提供する電圧により有機発光ダイオードの電位が高められ、これにより駆動ユニット作動時にそのソースドレイン電圧差（Ｖｓｄ）が減少し、ソースゲート電圧差（Ｖｓｇ）が不変に保持され、各駆動ユニットが特性変異により異なるスレショルド電圧を有する時、各駆動ユニット導通時のその出力電流の差異を縮小することができるようにしている。【選択図】        図１
2004287060.tif 000002
【特許請求の範囲】
【請求項１】
ディスプレイが複数の画素装置（１０）で組成されているアクティブマトリックス式有機発光ダイオードディスプレイの画像を均一化する装置において、各画素装置（１０）が、
スイッチングユニット（１）とされ、二つの入力端（１１）、（１２）と一つの出力端（１３）を具え、この二つの入力端（１１）、（１２）がそれぞれ走査線（６０）とデータ線（６１）に連接された、上記スイッチングユニット（１）と、
保存ユニット（３）とされ、その一端が電源線（６２）に連接され、もう一端が上述のスイッチングユニット（１）の出力端（１３）に連接された、上記保存ユニット（３）と、
駆動ユニット（２）とされ、二つの入力端（２１）、（２２）と一つの出力端（２３）を具え、そのうち一つの入力端（２１）が電源線（６２）に連接され、もう一つの入力端（２２）がスイッチングユニット（１）の出力端（１３）に連接された、上記駆動ユニット（２）と、
有機発光ダイオード（４）とされ、アノードとカソードを具え、該アノードが該駆動ユニット（２）の出力端（２３）に連接され、該カソードが正電源（５）に連接された、有機発光ダイオード（４）と、
を具え、
正電源（５）により電圧が提供されて該有機発光ダイオード（４）のカソード及びアノード電位が増加され、並びに連帯して該駆動ユニット（２）の出力端（２３）の電位が高められ、これにより駆動ユニット（２）の作動時にそのソースドレイン電圧差が減少し、ソースゲート電圧差が不変に保持されることを特徴とする、アクティブマトリックス式有機発光ダイオードディスプレイの画像を均一化する装置。
【請求項２】
前記スイッチングユニット（１）が薄膜トランジスタとされたことを特徴とする、請求項１に記載のアクティブマトリックス式有機発光ダイオードディスプレイの画像を均一化する装置。
【請求項３】
前記駆動ユニット（２）が薄膜トランジスタとされたことを特徴とする、請求項１に記載のアクティブマトリックス式有機発光ダイオードディスプレイの画像を均一化する装置。
【請求項４】
前記保存ユニット（３）がコンデンサで組成されたことを特徴とする、請求項１に記載のアクティブマトリックス式有機発光ダイオードディスプレイの画像を均一化する装置。
【請求項５】
ディスプレイが複数の画素装置（１０）で組成されているアクティブマトリックス式有機発光ダイオードディスプレイの画像を均一化する方法において、各画素装置（１０）が有機発光ダイオード（４）を駆動して発光させる駆動ユニット（２）を具え、該有機発光ダイオード（４）のカソードが正電源（５）に連接され、該正電源（５）により電圧が提供されて該有機発光ダイオード（４）の電位が高められ、これにより駆動ユニット（２）の作動時にそのソースドレイン電圧差が減少し、ソースゲート電圧差が不変に保持され、各駆動ユニット（２）が特性変異により異なるスレショルド電圧を有する時に、各駆動ユニット（２）の導通時の出力電流の差異が縮小されることを特徴とする、アクティブマトリックス式有機発光ダイオードディスプレイの画像を均一化する方法。
【発明の詳細な説明】
【０００１】
【発明の属する技術分野】
本発明は一種のアクティブマトリックス式有機発光ダイオードディスプレイの画像を均一化する方法及び装置に係り、特に駆動薄膜トランジスタ（Ｄｒｉｖｉｎｇ  ＴＦＴ）のソースドレイン電圧差（Ｖｓｄ）が下げられ、ソースゲート電圧差（Ｖｓｇ）が保持され、これにより各駆動薄膜トランジスタの出力電流の変異が過大とならないようにする、アクティブマトリックス式有機発光ダイオードディスプレイの画像を均一化する方法及び装置に関する。
【０００２】
【従来の技術】
周知のとおり、ＴＦＴ  ＬＣＤの現在の技術はアモルファスシリコンＴＦＴ（ａ−Ｓｉ  ＴＦＴ）とポリシリコンＴＦＴ（Ｐｏｌｙ−Ｓｉ  ＴＦＴ）の二種類に分けられ、一般にいわゆるＴＦＴ  ＬＣＤは、アモルファスシリコンＴＦＴを指し、現在その技術は成熟し、ＬＣＤの主流製品となっている。低温ポリシリコン（ＬＴＰＳ  ＴＦＴ）とアモルファスシリコンＴＦＴの最大の違いは、ＬＴＰＳのトランジスタはレーザーリフローの工程を更に必要とし、それによりアモルファスシリコンの薄膜をポリシリコン薄膜層に変化させ、これによりＬＴＰＳをシリコン結晶構造にあってアモルファスＴＦＴよりも規則的に配列させ、これにより２００ｃｍ２  ／Ｖ−ｓｅｃの電子輸送速度を達成することにある。ＬＴＰＳ技術は装置を縮小することができ、全体のＴＦＴ装置面積を５０％以上縮小させることができる。並びに開口率（ａｐｅｒｔｕｒｅ  ｒａｔｉｏ）を高め、アモルファスシリコンＴＦＴと同じ寸法下でより高い解析度のものを製造でき、且つパワー消耗を減らす。ＬＴＰＳ  ＴＦＴは更に節電、高輝度、精細な画面、軽薄、及び少ない接点（２００個より少なく、歩留りの向上に役立つ。アモルファスシリコンＴＦＴは３８４２個より多くの接点を有する。）等の長所を有している。
【０００３】
しかし、低温ポリシリコン（ＬＴＰＳ）工程で製造されたＴＦＴはレーザーリフローの工程を必要とし、往々にしてＴＦＴのスレショルド電圧と移動度（Ｍｏｂｉｌｉｔｙ）に変異が発生し、各ＴＦＴ装置の特性に違いが生じて、ゆえにこの駆動システムがアナログ変調方式でグレースケールを表現する時、ＴＦＴがレーザーリフローの工程を終えた後に異なる特性を具備し、同じ電圧信号を書き込んでも異なる画素の有機発光ダイオードが異なる電流を発生し、異なる大きさの輝度を発生しうる。この現象は有機発光ダイオードパネルにグレースケール錯誤の画像を表示させ、厳重に画像均一性（Ｉｍａｇｅ  Ｕｎｉｆｏｒｍｉｔｙ）を破壊する。
【０００４】
周知の特許文献１によると、二つのＴＦＴ及び一つのコンデンサで組成された画素回路が提供され、この画素装置が画像データを走査する時、スイッチングユニットが導通状態を現出し、このとき画像データがデータ線よりスイッチングユニットに進入し、走査線の走査後に、保存ユニット内に保存される（スイッチングユニット導通後に保存ユニットに対する充電が行われる）、保存ユニットの電圧差が駆動ユニットのＶｓｇを提供し、駆動ユニットに電流を有機ルミネッセンス装置装置に出力させて、有機発光装置の発生する輝度をこの装置を流れる電流の大きさに正比例させる。しかし、このような画素装置は駆動ユニットのデバイス特性に工程制限により変異が出現すると、有機発光装置の発光の不均一を形成し、画像均一性を破壊しうる。
ゆえに、ディスプレイの画像均一性の問題を解決するため、すでにある業者がディジタル式駆動構造を開発し、並びに時間比率（Ｔｉｍｅ  Ｒａｔｉｏ）変調方式によりグレースケールを表現し、その作動原理は、ＴＦＴの導通（ＯＮ）と切断（ＯＦＦ）を制御することにより、有機発光ダイオード（ＯＬＥＤ）の発光と不発光を制御し、並びにＯＬＥＤの発光時間のフレームタイムに締める比率により画像グレースケールを決定する、というものである。
しかし、ディジタル方式で有機発光ダイオードを駆動すると、却って以下のような技術的課題が発生するため、突破が待たれている。
１．ディスプレイパネルの各ＴＦＴが導通状態の時、出力電流の大きさの差を小さくしなければならない。
２．ディスプレイパネルの各ＴＦＴが切断状態の時、全てのＴＦＴをいずれも完全に切断して出力がない状態とする必要がある。
【０００５】
【特許文献１】
米国特許第５６８４３６５号明細書
【０００６】
【発明が解決しようとする課題】
本発明の主要な目的は、上述の従来の技術の欠点を解決し、欠点の存在を無くすことにあり、即ち、本発明は一種のアクティブマトリックス式有機発光ダイオードディスプレイの画像を均一化する方法及び装置を提供し、それは各有機発光ダイオードのカソードを正電源に連接し、並びに有機発光ダイオードの電位を高め、これにより駆動薄膜トランジスタのソースドレイン電圧差（Ｖｓｄ）を減少し、ソースゲート電圧差（Ｖｓｇ）を不変に保持し、各ＴＦＴが導通状態にある時、その出力電流の差異を縮小するようにした方法及び装置であるものとする。
【０００７】
【課題を解決するための手段】
請求項１の発明は、ディスプレイが複数の画素装置（１０）で組成されているアクティブマトリックス式有機発光ダイオードディスプレイの画像を均一化する装置において、各画素装置（１０）が、
スイッチングユニット（１）とされ、二つの入力端（１１）、（１２）と一つの出力端（１３）を具え、この二つの入力端（１１）、（１２）がそれぞれ走査線（６０）とデータ線（６１）に連接された、上記スイッチングユニット（１）と、
保存ユニット（３）とされ、その一端が電源線（６２）に連接され、もう一端が上述のスイッチングユニット（１）の出力端（１３）に連接された、上記保存ユニット（３）と、
駆動ユニット（２）とされ、二つの入力端（２１）、（２２）と一つの出力端（２３）を具え、そのうち一つの入力端（２１）が電源線（６２）に連接され、もう一つの入力端（２２）がスイッチングユニット（１）の出力端（１３）に連接された、上記駆動ユニット（２）と、
有機発光ダイオード（４）とされ、アノードとカソードを具え、該アノードが該駆動ユニット（２）の出力端（２３）に連接され、該カソードが正電源（５）に連接された、有機発光ダイオード（４）と、
を具え、
正電源（５）により電圧が提供されて該有機発光ダイオード（４）のカソード及びアノード電位が増加され、並びに連帯して該駆動ユニット（２）の出力端（２３）の電位が高められ、これにより駆動ユニット（２）の作動時にそのソースドレイン電圧差が減少し、ソースゲート電圧差が不変に保持されることを特徴とする、アクティブマトリックス式有機発光ダイオードディスプレイの画像を均一化する装置としている。
請求項２の発明は、前記スイッチングユニット（１）が薄膜トランジスタとされたことを特徴とする、請求項１に記載のアクティブマトリックス式有機発光ダイオードディスプレイの画像を均一化する装置としている。
請求項３の発明は、前記駆動ユニット（２）が薄膜トランジスタとされたことを特徴とする、請求項１に記載のアクティブマトリックス式有機発光ダイオードディスプレイの画像を均一化する装置としている。
請求項４の発明は、前記保存ユニット（３）がコンデンサで組成されたことを特徴とする、請求項１に記載のアクティブマトリックス式有機発光ダイオードディスプレイの画像を均一化する装置としている。
請求項５の発明は、ディスプレイが複数の画素装置（１０）で組成されているアクティブマトリックス式有機発光ダイオードディスプレイの画像を均一化する方法において、各画素装置（１０）が有機発光ダイオード（４）を駆動して発光させる駆動ユニット（２）を具え、該有機発光ダイオード（４）のカソードが正電源（５）に連接され、該正電源（５）により電圧が提供されて該有機発光ダイオード（４）の電位が高められ、これにより駆動ユニット（２）の作動時にそのソースドレイン電圧差が減少し、ソースゲート電圧差が不変に保持され、各駆動ユニット（２）が特性変異により異なるスレショルド電圧を有する時に、各駆動ユニット（２）の導通時の出力電流の差異が縮小されることを特徴とする、アクティブマトリックス式有機発光ダイオードディスプレイの画像を均一化する方法としている。
【０００８】
【発明の実施の形態】
本発明は複数の画素装置で組成されたアクティブマトリックス式有機発光ダイオードディスプレイの画像を均一化する方法及び装置において、各画素装置が有機発光ダイオードを駆動し発光させる駆動ユニットを具え、該有機発光ダイオードのカソードが正電源に連接され、並びに該正電源の提供する電圧により有機発光ダイオードの電位が高められ、これにより駆動ユニット作動時にそのソースドレイン電圧差（Ｖｓｄ）が減少し、ソースゲート電圧差（Ｖｓｇ）が不変に保持され、各駆動ユニットが特性変異により異なるスレショルド電圧を有する時、各駆動ユニット導通時のその出力電流の差異を縮小することができるようにしている。
【０００９】
【実施例】
図１は本発明の回路図であり、図示されるように、本発明のアクティブマトリックス式有機発光ダイオードディスプレイの画像を均一化する方法及び装置によると、該ディスプレイは、複数の画素装置１０で組成され、各画素装置１０は有機発光ダイオード４を駆動し発光させる駆動ユニット２を具え、該駆動ユニット２のカソードは正電源５に連接されている。該正電源５の提供する電圧により、有機発光ダイオード４の電位が高められ、これにより駆動ユニット２の作動時にそのソースドレイン電圧差（Ｖｓｄ）が減少させられ、ソースゲート電圧差（Ｖｓｇ）が不変に保持され、各駆動ユニット２が特性変異により異なるスレショルド電圧を有する時に、各駆動ユニット２の導通時のその出力電流の差異が縮小される。
上述の方法を達成するため、本発明の採用する画素装置１０は、スイッチユニット１、駆動ユニット２、保存ユニット３及び有機発光ダイオード４で組成されている。
該スイッチングユニット１は、ＴＦＴとされ、このスイッチユニット１の二つの入力端１１、１２がそれぞれ走査線６０とデータ線６１に連接されている。
該駆動ユニット２はＴＦＴとされ、該駆動ユニット２の入力端２１が電源線６２に連接され、もう一つの入力端２２がスイッチユニット１の出力端１３に連接されている。
該保存ユニット３はコンデンサで組成され、一端に電源線６２が連接され、もう一端にスイッチユニット１の出力端１３が連接されている。
該有機発光ダイオード４は、そのアノードが上述の駆動ユニット２の出力端２３に連接され、そのカソードが正電源５に連接されている。
正電源５により電圧が提供されて該有機発光ダイオード４のカソード及びアノード電位が増加され、並びに連帯して該駆動ユニット２の出力端２３の電位が高められ、これにより駆動ユニット２の作動時にそのソースドレイン電圧差が減少し、ソースゲート電圧差が不変に保持され、各駆動ユニット２が特性変異により異なるスレショルド電圧を有する時、駆動ユニット２の導通時の出力電流の差異が縮小される。
このほか、本考案の達成する機能を了解いただくため、図２を参照されたい。図２は駆動ユニットの電流−電圧表示図である。図示されるように、電源線６２の入力電圧Ｖｄｄが１３Ｖでデータ線６１の入力電圧信号が０Ｖの時、周知の画素装置構造では駆動ユニットが周知の負荷曲線７１を有する。ゆえに周知の駆動ユニットのＶｓｄ作業点は周知の負荷曲線７１と駆動ユニットの特性曲線７２（電源線の入力電圧Ｖｄｄが１３Ｖでデータ線の入力電圧信号Ｖｄａｔａが０Ｖの時）の交点にある。
仮にＴＦＴ装置のスレショルド電圧Ｖｔｈが製造工程の制限により±１．５Ｖの変異を有するとすると、図よりＶｔｈに−１．５Ｖの変異がある時、周知の駆動ユニットの出力電流に２３．３％の変異が形成されることが分かる。
反対に本発明の画素装置１０を使用する時、仮に有機発光ダイオードのカソード電位が正電源の提供する電圧により５Ｖとされると、該駆動ユニット２は本発明の負荷曲線７３を有し、ゆえに駆動ユニット２のＶｓｄ作業点は本発明の負荷曲線７３と駆動ユニット２の特性曲線７２の交点にあり、則ちＴＦＴ装置のスレショルド電圧Ｖｔｈが同様に製造工程の制限により−１．５Ｖの変異を有する時、その駆動ユニット２の出力電流は僅かに１３．６％の変異しかないことが実験により実証されている。
さらに図３は、駆動ユニットの電流−電圧表示図である。図示されるように、特性曲線８２（この特性曲線は電源線６２の入力電圧Ｖｄｄが８Ｖで、データ線６１の入力電圧信号Ｖｄａｔａが０Ｖの時のものである）、周知の画素装置の構造によると、周知の駆動ユニットのソースゲート電圧差（Ｖｓｇ）は８Ｖに下がり、周知の駆動ユニットのＶｓｄ作業点は負荷曲線８１と周知の駆動ユニットの特性曲線８３（Ｖｓｇ＝８Ｖ）の交点にある。すなわち、ＴＦＴ装置のスレショルド電圧Ｖｔｈに工程制限により±１．５Ｖの変異が有る時、周知の駆動ユニットの出力電流には３９．６％の変異がある。
しかし、本発明の駆動装置を使用すると、有機発光ダイオードパネルの全てのカソード電位が５Ｖとなり、ゆえに入力電圧Ｖｄｄが１３Ｖ、データ線６１の入力電圧信号Ｖｄａｔａが０Ｖで、駆動ユニット２のＶｓｄ作業点が負荷曲線８１と周知の駆動ユニット８２（Ｖｓｇ＝１３Ｖ）の交点に位置する。すなわちＴＦＴ装置のスレショルド電圧Ｖｔｈに工程制限により±１．５Ｖの変異が有る時、駆動ユニット２の出力電流はただ１３．６％の変異しなない。
【００１０】
【発明の効果】
ゆえに、周知の画素装置は電源供給電圧Ｖｄｄが小さくなると、周知の駆動ユニットのＶｓｄは小さくなり、Ｖｓｇも小さくなるが、却って各駆動ユニットの出力電流の受ける特性変異の影響は大きくなる。これに対して、本発明は、駆動ユニット２のＶｓｄを下げると共にＶｓｇを一定値に維持し、ゆえにＴＦＴが導通時に出力電流の大きさにＴＦＴの特性変異の影響を受けにくい。
以上は本発明の好ましい実施例の説明であり、本発明の請求範囲を限定するものではなく、本発明に基づきなしうる細部の修飾或いは改変は、いずれも本発明の請求範囲に属するものとする。
【図面の簡単な説明】
【図１】本発明の回路表示図である。
【図２】本発明の駆動ユニットの電流−電圧表示図である。
【図３】本発明の駆動ユニットの電流−電圧表示図である。
【符号の説明】
（１０）画素装置
（１）スイッチングユニット
（１１）、（１２）入力端
（１３）出力端
（２）駆動ユニット
（２１）、（２２）入力端
（２３）出力端
（３）保存ユニット
（４）有機発光ダイオード
（５）正電源
（６０）走査線
（６１）データ線
（６２）電源線
【図１】
2004287060.tif 000003
【図２】
2004287060.tif 000004
【図３】
2004287060.tif 000005